(57)【要約】【課題】画面に表示される選択要素を時刻に応じて変更することが可能な、情報処理装置およびプログラムを提供する。【解決手段】情報処理装置としてのＰＣ１において、制御部２の管理部２２は、現在時刻を監視しており、タスクデータ領域３３に格納されているタスクデータの時間条件に現在時刻が該当するか否かを判断し、該当する場合に、オブジェクトデータ領域３１に格納されているオブジェクトデータリストや、ＵＩデータ領域３２に格納されているＵＩデータリストの内容を変更する。そして、制御部２の表示制御部２３は、オブジェクトデータリストおよびＵＩデータリストに基づいて、表示部４２にユーザインターフェース画面を表示させる。【選択図】  図１
2008210310.tif 000002
【特許請求の範囲】
【請求項１】
画面に表示されて使用者による選択の対象となる選択要素のリストと、画面に表示するか否かに関する前記選択要素毎の設定情報を保持する保持手段と、
前記リストに含まれる前記選択要素の前記設定情報を時期に応じて変更する変更手段と、
前記リストおよび前記設定情報に基づいて前記選択要素を画面に表示させる表示制御手段と、
を備えることを特徴とする情報処理装置。
【請求項２】
画面に表示されて使用者による選択の対象となる選択要素のリストと、画面に表示するか否かに関する前記選択要素毎の設定情報を保持部に保持させる保持手段、
前記リストに含まれる前記選択要素の前記設定情報を時期に応じて変更する変更手段、および、
前記リストおよび前記設定情報に基づいて前記選択要素を画面に表示させる表示制御手段、
としてコンピュータを機能させることを特徴とするプログラム。
【請求項３】
請求項２に記載のプログラムであって、
前記選択要素の前記設定情報変更が有効となる時期を示す設定変更有効時期情報を記憶部に記憶させる記憶手段として更にコンピュータを機能させ、
前記変更手段は、前記設定変更有効時期情報に基づいて、前記リストに含まれる前記選択要素の前記設定情報を変更する、
ことを特徴とするプログラム。
【請求項４】
請求項２または３に記載のプログラムであって、
前記変更手段は、前記リストに含まれる前記選択要素の前記設定情報の変更を、当該選択要素に関する所定の条件を満たす場合に実行する、
ことを特徴とするプログラム。
【発明の詳細な説明】
【技術分野】
【０００１】
本発明は、情報処理装置およびプログラムに関する。
【背景技術】
【０００２】
近年、グラフィカルユーザインターフェース（ＧＵＩ）機能を備える情報処理装置が広く普及している。このような情報処理装置では、ユーザによる選択の対象となる選択要素などが画面に表示される。また、画面に表示される選択要素は、その種類や配置などをユーザが所望する状態に変更することができる。
【０００３】
例えば、特許文献１には、ウェブブラウザのスタートページをカスタマイズする技術が開示されている。
【特許文献１】特開平１０−２６０８２１号公報
【発明の開示】
【発明が解決しようとする課題】
【０００４】
ところで、画面に表示される選択要素を曜日毎などで定期的に変更する場合、ユーザは、その都度操作を行って設定を変更させる必要があり、手間がかかる。
【０００５】
本発明は、画面に表示される選択要素を時期に応じて変更することが可能な、情報処理装置およびプログラムを提供することをその目的の一つとする。
【課題を解決するための手段】
【０００６】
上記課題を解決するため、本発明の情報処理装置は、画面に表示されて使用者による選択の対象となる選択要素のリストと、画面に表示するか否かに関する前記選択要素毎の設定情報を保持する保持手段と、前記リストに含まれる前記選択要素の前記設定情報を時期に応じて変更する変更手段と、前記リストおよび前記設定情報に基づいて前記選択要素を画面に表示させる表示制御手段と、を備えることを特徴とする。
【０００７】
次に、本発明のプログラムは、画面に表示されて使用者による選択の対象となる選択要素のリストと、画面に表示するか否かに関する前記選択要素毎の設定情報を保持部に保持させる保持手段、前記リストに含まれる前記選択要素の前記設定情報を時期に応じて変更する変更手段、および、前記リストおよび前記設定情報に基づいて前記選択要素を画面に表示させる表示制御手段、としてコンピュータを機能させることを特徴とする。
【０００８】
また、本発明のプログラムは、前記選択要素の前記設定情報変更が有効となる時期を示す設定変更有効時期情報を記憶部に記憶させる記憶手段として更にコンピュータを機能させ、前記変更手段が、前記設定変更有効時期情報に基づいて、前記リストに含まれる前記選択要素の前記設定情報を変更する、ことを特徴とする。
【０００９】
また、本発明のプログラムは、前記変更手段が、前記リストに含まれる前記選択要素の前記設定情報の変更を、当該選択要素に関する所定の条件を満たす場合に実行する、ことを特徴とする。
【発明の効果】
【００１０】
上記本発明によれば、画面に表示される選択要素を時期に応じて変更することができる。
【発明を実施するための最良の形態】
【００１１】
本発明の実施形態について、図面を参照しながら説明する。
【００１２】
図１は、本発明の情報処理装置の一実施形態としてのパーソナルコンピュータ（ＰＣ）１の構成例を表すブロック図である。このＰＣ１は、装置全体の制御を司る制御部２と、ハードディスクなどで構成される記憶部３と、グラフィカルユーザインターフェース（ＧＵＩ）機能を実現するユーザインターフェース部（ＵＩ部）４とを含んでいる。
【００１３】
制御部２は、ＣＰＵ（マイクロプロセッサ等の中央演算装置）やＣＰＵの作業領域とされるＲＡＭ（ランダムアクセスメモリ）などを含んで構成される。この制御部２は、機能的に、入力受付部２１と、管理部２２と、表示制御部２３とを有する。これらの構成要素は、制御部２に含まれるＣＰＵのソフトウェア的な動作によって実現する。
【００１４】
記憶部３は、制御部２のＣＰＵの動作に必要なプログラムやデータを記憶している。このプログラムやデータは、ＣＤ−ＲＯＭ等の媒体に記録して流通させても良いし、インターネット等の通信路を介して流通させても良い。
【００１５】
また、記憶部３には、オブジェクトデータを格納するオブジェクトデータ領域３１と、ユーザインターフェースデータ（ＵＩデータ）を格納するユーザインターフェースデータ領域（ＵＩデータ領域）３２と、タスクデータを格納するタスクデータ領域３３とが設けられている。
【００１６】
ＵＩ部４は、キーボードやマウスなどで構成される操作部４１と、ディスプレイ装置などで構成される表示部４２とを含んで構成されている。
【００１７】
制御部２の入力受付部２１は、ユーザによって操作される操作部４１から操作入力を受付けて、これを管理部２２へ出力する。この操作入力には、例えば、表示部４２に表示されている選択要素を選択するための操作入力などがある。また、記憶部３のタスクデータ領域３３に格納するタスクデータを生成するための操作入力などもある。
【００１８】
制御部２の管理部２２は、表示部４２に表示されている選択要素が選択された場合に、この選択要素に対応する所定の動作を実行する。
【００１９】
また、管理部２２は、現在時刻を監視しており、記憶部３のタスクデータ領域３３に格納されているタスクデータに基づき、現在時刻に応じて、記憶部３のオブジェクトデータ領域３１に格納されているオブジェクトデータのリストや、ＵＩデータ領域３２に格納されているＵＩデータのリストの内容を変更する。この場合の管理部２２が、本発明の変更手段に相当する。なお、現在時刻の監視は、例えば、コンピュータの内部時計を参照することによって行うことができる。また、外部のサーバから現在時刻を取得するようにしても良い。
【００２０】
また、管理部２２は、新たなタスクデータが入力された場合に、このタスクデータを記憶部３のタスクデータ領域３３に格納する。
【００２１】
制御部２の表示制御部２３は、記憶部３のオブジェクトデータ領域３１に格納されているオブジェクトデータおよびＵＩデータ領域３２に格納されているＵＩデータに基づいて、表示部４２にユーザインターフェース画面（ＵＩ画面）を表示させる。
【００２２】
ＵＩ画面の表示例を図２に示す。ＵＩ画面５０は、ファイルやフォルダなどを表すオブジェクトが配置される仮想空間の状態を表示する画面であり、デスクトップの画面（基本画面）５１や、フォルダの中身を表すフォルダ内表示ツールの画面５２などを含んでいる。ここで、デスクトップやフォルダは、ファイルシステムに含まれる所定の階層を表すものである。
【００２３】
ＵＩ画面５０に配置されるオブジェクトは、記憶部３のオブジェクトデータ領域３１に格納されているオブジェクトデータに基づいて生成される。オブジェクトには、文書ファイル等のファイルを表すファイルオブジェクトや、フォルダ（ディレクトリともいう）を表すフォルダオブジェクトなどの種類がある。また、ファイル等を参照するショートカットオブジェクトなどもある。
【００２４】
このようなオブジェクトは、操作部４１に与えられた操作に連動してＵＩ画面５０内を移動するポインタ５９などによって選択される対象となる。すなわち、ＵＩ画面５０に配置されたオブジェクトは、選択要素として機能する。
【００２５】
ファイルオブジェクトが選択された場合、例えば、このファイルオブジェクトに対応するファイルが開かれ、ファイルの内容を表す画面が表示される。また、フォルダオブジェクトが選択された場合、例えば、このフォルダの中身を表すフォルダ内表示ツールの画面５２が表示される。また、ショートカットオブジェクトが選択された場合、例えば、参照先のファイルが開かれ、ファイルの内容を表す画面が表示される。
【００２６】
他方、ＵＩ画面５０を構成するデスクトップの画面５１やフォルダ内表示ツールの画面５２などは、記憶部３のＵＩデータ領域３２に格納されているＵＩデータに基づいて生成される。
【００２７】
このうち、フォルダ内表示ツールの画面５２には、メニュー５５や項目５６などが組込まれている。これらは、ポインタ５９などによって選択される対象となる。すなわち、ＵＩ画面５０に含まれるメニュー５５や項目５６などは、選択要素として機能する。
【００２８】
メニュー５５が選択された場合、例えば、このメニュー５５に属する項目５６の一覧が、引き出されるようにして表示される。また、項目５６が選択された場合、例えば、この項目５６に対応する所定の命令が実行される。所定の命令には、例えば、ファイルの保存や、ファイルのコピー、新規フォルダの追加、サイトへのアクセスなどがある。
【００２９】
記憶部３のオブジェクトデータ領域３１に格納されているオブジェクトデータは、例えば、図３に示すようなオブジェクトデータリストによって管理されている。このオブジェクトデータリストには、どの階層にどのオブジェクトを配置するかという情報が記述されている。制御部２の表示制御部２３は、このオブジェクトデータリストに基づいて、デスクトップやフォルダなどの各階層に、ファイルやフォルダなどを表すオブジェクトを配置する。このオブジェクトデータリストは、オブジェクトデータとともに記憶部３のオブジェクトデータ領域３１に格納されている。この場合の記憶部３が、本発明の保持手段に相当する。
【００３０】
他方、記憶部３のＵＩデータ領域３２に格納されているＵＩデータは、例えば、図４に示すようなユーザインターフェースデータリスト（ＵＩデータリスト）によって管理されている。このＵＩデータリストには、どのようなＵＩ画面５０を構築するかという情報が記述されており、特に、フォルダ内表示ツールの画面５２に組込まれるメニュー５５の種類や、各メニュー５５に属する項目５６の種類などの情報が記述されている。制御部２の表示制御部２３は、このＵＩデータリストに基づいて、ＵＩ画面５０、すなわちデスクトップの画面５１やフォルダ内表示ツールの画面５２などを構築する。このＵＩデータリストは、ＵＩデータとともに記憶部３のＵＩデータ領域３２に格納されている。この場合の記憶部３も、本発明の保持手段に相当する。
【００３１】
図５に、記憶部３のタスクデータ領域３３に格納されているタスクデータの内容例を示す。このタスクデータは、オブジェクトデータリストやＵＩデータリストの内容の変更に用いられる。このタスクデータには、変更対象と、時間条件と、変更内容とが記述されている。変更対象は、変更の対象となる選択要素を特定する。時間条件は、変更が有効となる時間帯を特定する。
【００３２】
例えば、変更の対象がＵＩ画面５０に配置されるオブジェクトである場合、タスクデータは、変更の対象となるオブジェクトを特定し、このオブジェクトを配置する階層を特定し、このオブジェクトを配置する時間帯を特定する。
【００３３】
また、例えば、変更の対象がＵＩ画面５０を構成する項目５６である場合、タスクデータは、変更の対象となる項目を特定し、この項目を含めるメニューを特定し、この項目を含める時間帯を特定する。
【００３４】
なお、これらの例では、所定の時間帯に特定の選択要素を表示させるような変更の場合について説明したが、これに限らず、所定の時間帯に特定の選択要素を表示させないような変更であっても良い。
【００３５】
変更を有効とする時間帯は、例えば、開始時刻と終了時刻によって特定することができる。また、終日としても良い（換言すると、一日が始まる時刻を開始時刻とし、一日が終わる時刻を終了時刻とする。）。さらに、このように特定される時間帯を、例えば、毎日や、毎週の所定曜日、毎月の所定日といったように、定期的に設定することもできる。また、他の変更対象の選択要素が表示されている場合（または、表示されていない場合）等のように、間接的に時間帯を特定するようにしても良い。
【００３６】
以下、制御部２が、タスクデータを利用して表示部４２に表示する選択要素を変更する際の動作例について説明する。図６は、この動作例を表すフローチャートである。
【００３７】
制御部２の管理部２２は、現在時刻を監視し、記憶部３のタスクデータ領域３３に格納されているタスクデータの時間条件に、現在時刻が該当するか否かを判断する（Ｓ１）。
【００３８】
タスクデータの時間条件に現在時刻が該当した場合（Ｓ１：ＹＥＳ）、管理部２２は、そのタスクデータに基づき、記憶部３のオブジェクトデータ領域３１に格納されているオブジェクトデータリストや、ＵＩデータ領域３２に格納されているＵＩデータリストの内容を変更する（Ｓ２）。
【００３９】
例えば、変更の対象がＵＩ画面５０に配置されるオブジェクトである場合、管理部２２は、変更対象のオブジェクトが、変更内容により特定される階層に配置されるように、オブジェクトデータリストを書換える。
【００４０】
また、例えば、変更の対象がＵＩ画面５０を構成する項目５６である場合、管理部２２は、変更対象の項目が、変更内容により特定されるメニューに含まれるように、ＵＩデータリストを書換える。
【００４１】
制御部２の表示制御部２３は、オブジェクトデータリストおよびＵＩデータリストに基づいて、オブジェクトデータおよびＵＩデータを利用して、表示部４２にＵＩ画面５０を表示させる（Ｓ３）。
【００４２】
図７に、オブジェクトデータリストおよびＵＩデータリストの内容が変更された場合のＵＩ画面の表示例を示す。この図では、上記図５に示した全てのタスクデータの時間条件を満たしている場合の表示例を示している。この図に示すように、ＵＩ画面５０には、変更対象の選択要素が表示されるようになる。すなわち、ＵＩ画面５０に含まれるデスクトップの画面５１やフォルダ内表示ツールの画面５２には、変更対象のオブジェクトが配置されるようになる。また、フォルダ内表示ツールに組込まれているメニュー５５には、変更対象の項目５６が含められるようになる。
【００４３】
ここで、変更対象の選択要素は、変更対象ではない選択要素と識別できるように表示することができる。例えば、変更対象の選択要素と、変更対象ではない選択要素とで、形状、模様、色彩などの表示態様を変えて表示するようにできる。また、例えば、変更対象ではない選択要素の表示位置を変えずに、これとは重複しない位置に変更対象の選択要素を表示するようにすることができる。更には、変更対象の選択要素を配置する領域と、変更対象ではない選択要素を配置する領域とを分けて、両者を混在させないようにすることもできる。
【００４４】
次に、管理部２２によって、記憶部３のタスクデータ領域３３にタスクデータが登録される場合の処理について説明する。管理部２２は、例えば図８に示すようなタスク作成ツール６０を表示部４２に表示して、タスクデータの入力を受付ける。このタスク作成ツール６０は、変更を有効とする時間帯などの時間条件の入力を受付けるための時間条件入力領域６１と、変更対象となる選択要素の入力を受付ける変更対象入力領域６３、６６と、変更内容の入力を受付ける変更内容入力領域６４、６７と、を含んでいる。変更の対象がＵＩ画面５０に配置されるオブジェクトである場合、変更対象入力領域６３および変更内容入力領域６４が利用される。また、変更の対象がＵＩ画面５０を構成する項目５６である場合、変更対象入力領域６６および変更内容入力領域６７が利用される。
【００４５】
管理部２２は、このような入力領域に入力された内容からタスクデータを生成し、生成したタスクデータを記憶部３のタスクデータ領域３３に格納することで登録を行う。
【００４６】
以下、本発明の変形例について説明する。図９は、本発明の情報処理装置の変形例としてのサーバ装置８０、及びこのサーバ装置８０に接続された端末７０の構成例を表すブロック図である。なお、上述の実施形態と重複する構成については、同番号を付すことで詳細な説明を省略する。
【００４７】
サーバ装置８０と端末７０は、ネットワーク等の通信路を介して互いに通信可能とされている。このサーバ装置８０は、例えば、アプリケーションの機能を端末７０に提供するアプリケーションサーバとして構成することができる。
【００４８】
端末７０は、装置全体の制御を司る制御部７２と、操作部４１および表示部４２を含んで構成されたＵＩ部４とを有している。この制御部７２は、ＣＰＵやＲＡＭなどを含んで構成され、ＣＰＵのソフトウェア的な動作によって、機能的に、入力受付部７８と、ブラウザ表示処理部７９とを有する。
【００４９】
端末７０のブラウザ表示処理部７９は、表示部４２にブラウザ画面（閲覧画面）を表示し、このブラウザ画面内に、サーバ装置８０から提供されたアプリケーションの機能に基づく画面を表示させる。
【００５０】
端末７０の入力受付部７８は、ユーザによって操作される操作部４１から操作入力を受付けて、この情報をサーバ装置８０へ出力する。この操作入力には、例えば、表示部４２に表示されているブラウザ画面に含まれる選択要素を選択するための操作入力などがある。
【００５１】
サーバ装置８０は、装置全体の制御を司る制御部８２と、ハードディスクなどで構成される記憶部８３とを含んでいる。この制御部８２は、ＣＰＵやＲＡＭなどを含んで構成され、ＣＰＵのソフトウェア的な動作によって、機能的に、受付部８８と、管理部２２と、表示制御部２３とを有する。また、記憶部３には、オブジェクトデータ領域３１と、ＵＩデータ領域３２と、タスクデータ領域３３とが設けられている。
【００５２】
サーバ装置８０の入力受付部２１は、端末７０から操作入力の情報を受付けて、これを管理部２２へ出力する。
【００５３】
サーバ装置８０の管理部２２は、表示部４２に表示されているブラウザ画面に含まれる選択要素が選択された場合に、この選択要素に対応する所定の動作を実行する。
【００５４】
サーバ装置８０の表示制御部２３は、記憶部３のオブジェクトデータ領域３１に格納されているオブジェクトデータおよびＵＩデータ領域３２に格納されているＵＩデータに基づいて、端末７０のブラウザ画面内にアプリケーションの機能に基づく画面を表示させるためのデータを生成して、端末７０へ送信する。
【００５５】
これにより、端末７０のブラウザ画面内に表示されるアプリケーションの機能に基づく画面には、記憶部３のオブジェクトデータ領域３１に格納されているオブジェクトデータに基づいて生成されたオブジェクトが配置される。このように配置されたオブジェクトは、選択要素として機能する。
【００５６】
また、端末７０のブラウザ画面内に表示されるアプリケーションの機能に基づく画面は、記憶部３のＵＩデータ領域３２に格納されているＵＩデータに基づいて生成される。この画面には、メニューや項目などが含まれており、これらが選択要素として機能する。
【００５７】
サーバ装置８０の制御部８２の具体的な動作について説明する。まず、管理部２２は、上述の実施形態の場合と同様に、現在時刻を監視し、記憶部３のタスクデータ領域３３に格納されているタスクデータの時間条件に、現在時刻が該当するか否かを判断する。
【００５８】
タスクデータの時間条件に現在時刻が該当した場合、管理部２２は、そのタスクデータに基づき、記憶部３のオブジェクトデータ領域３１に格納されているオブジェクトデータリストや、ＵＩデータ領域３２に格納されているＵＩデータリストの内容を変更する。
【００５９】
その後、表示制御部２３は、オブジェクトデータリストおよびＵＩデータリストに基づいて、オブジェクトデータおよびＵＩデータを利用して、端末７０のブラウザ画面内にアプリケーションの機能に基づく画面を表示させるためのデータを生成して、端末７０へ送信する。
【００６０】
次に、サーバ装置８０の動作の変形例について説明する。
【００６１】
図１０に、タスクデータの内容の変形例を示す。このタスクデータには、変更対象、時間条件および変更内容に加えて、変更終了条件が記述されている。
【００６２】
変更終了条件は、オブジェクトデータリストやＵＩデータリストの内容の変更を終了させるための条件を特定する。すなわち、時間条件によって特定される時間帯に有効となっている変更を、終了させる（無効にする）ための条件を特定する。但し、変更終了条件は、現在時刻が時間条件を満たさなくなるという条件以外の条件を特定するものである。なお、変更終了条件は、時刻に関する条件以外の条件を特定するものが好適である。
【００６３】
具体的には、変更対象のオブジェクトなどに対して所定の処理が実行されたこと等を、変更終了条件とすることができる。例えば、変更対象のフォルダ内に文書ファイルが登録されたことや、変更対象の文書ファイルが編集されたこと等を、変更終了条件とすることができる。また、これらの処理が、どのユーザまたはどのグループに属するユーザによって実行されたかということを、変更終了条件に加えても良い。
【００６４】
図１１は、上記図１０に示した変更終了条件を含むタスクデータを利用する場合の、サーバ装置８０の動作例を表すフローチャートである。なお、上記図６に示したフローチャートと重複するステップについては、同番号を付すことで詳細な説明を省略する。
【００６５】
ここで、サーバ装置８０は、ブラウザ画面内にアプリケーションの機能に基づく画面を表示させるためのデータを、複数の端末７０に対して送信する機能を有するものとして構成することができる。また、サーバ装置８０は、端末７０の識別や、端末７０に認証されているユーザの識別する機能を有するものとして構成することができる。
【００６６】
サーバ装置８０の管理部２２は、タスクデータに基づいてオブジェクトデータリストまたはＵＩデータリストの内容が変更されている状態で（Ｓ２）、タスクデータに含まれる変更終了条件を満たしているか否かを判断する（Ｓ１１）。
【００６７】
タスクデータに含まれる変更終了条件を満たしている場合（Ｓ１１：ＹＥＳ）、サーバ装置８０の管理部２２は、オブジェクトデータリストまたはＵＩデータリストの内容の変更を終了する（Ｓ１２）。
【００６８】
例えば、特定のユーザによって変更対象のフォルダ内に文書ファイルが登録されたことが変更終了条件とされている場合、サーバ装置８０の管理部２２は、特定のユーザが使用する端末７０から受付けた操作入力によって、変更対象のフォルダ内に文書ファイルが登録されたことを検知すると、この変更対象のフォルダをオブジェクトデータリストから取り除く。これにより、端末７０のブラウザ画面内に変更対象のフォルダが表示されないようになる。
【００６９】
また、例えば、特定のグループに属する全てのユーザによって変更対象の文書ファイルが編集されたことが変更終了条件とされている場合、サーバ装置８０の管理部２２は、特定のグループに属するユーザが使用する端末７０から受付けた操作入力によって、変更対象の文書ファイルが編集された場合に、この情報を保持しておき、この情報が全てのユーザについて揃ったことを検知すると、この変更対象の文書ファイルをオブジェクトデータリストから取り除く。これにより、端末７０のブラウザ画面内に変更対象の文書ファイルが表示されないようになる。
【００７０】
図１２は、上記図１０に示した変更終了条件を含むタスクデータに係るタスク作成ツールの表示の変形例を表す図である。なお、上記図８に示したタスク作成ツールと重複する構成については、同番号を付すことで詳細な説明を省略する。タスク作成ツール９０は、時間条件入力領域６１、変更対象入力領域６３、６６、および変更内容入力領域６４、６７に加えて、変更終了条件の入力を受付ける変更終了条件入力領域９１を含んでいる。この変更終了条件入力領域９１には、ユーザの情報および実行される処理の情報が、変更終了条件として入力される。
【図面の簡単な説明】
【００７１】
【図１】情報処理装置の構成例を表すブロック図である。
【図２】情報処理装置の表示例を表す図である。
【図３】オブジェクトデータリストの内容例を表す図である。
【図４】ユーザインターフェースデータリストの内容例を表す図である。
【図５】タスクデータリストの内容例を表す図である。
【図６】情報処理装置の動作例を表すフローチャートである。
【図７】情報処理装置の表示例を表す図である。
【図８】タスク作成ツールの表示例を表す図である。
【図９】情報処理装置の変形例を表すブロック図である。
【図１０】タスクデータリストの内容の変形例を表す図である。
【図１１】情報処理装置の動作の変形例を表すフローチャートである。
【図１２】タスク作成ツールの表示の変形例を表す図である。
【符号の説明】
【００７２】
１  パーソナルコンピュータ（情報処理装置）、２  制御部、３  記憶部（保持手段、記憶手段）、４  ユーザインターフェース部、２１  入力受付部、２２  管理部（変更手段）、２３  表示制御部（表示制御手段）、３１  オブジェクトデータ領域、３２  ユーザインターフェースデータ領域、３３  タスクデータ領域、４１  操作部、４２  表示部、５０  ユーザインターフェース画面、５１  デスクトップの画面、５２  フォルダ内表示ツールの画面、５５  メニュー、５６  項目、５９  ポインタ、６０  タスク作成ツール、６１  時間条件入力領域、６３  変更対象入力領域、６４  変更内容入力領域、６６  変更対象入力領域、６７  変更内容入力領域、７０  端末、７２  制御部、７８  入力受付部、７９  ブラウザ表示処理部、８０  サーバ装置（情報処理装置）、８２  制御部、８３  記憶部（保持手段、記憶手段）、８８  受付部、９０  タスク作成ツール、９１  変更終了条件入力領域。
【図１】
2008210310.tif 000003
【図２】
2008210310.tif 000004
【図３】
2008210310.tif 000005
【図４】
2008210310.tif 000006
【図５】
2008210310.tif 000007
【図６】
2008210310.tif 000008
【図７】
2008210310.tif 000009
【図８】
2008210310.tif 000010
【図９】
2008210310.tif 000011
【図１０】
2008210310.tif 000012
【図１１】
2008210310.tif 000013
【図１２】
2008210310.tif 000014